(57)【要約】遠隔的に高品質な音楽ビデオをオン・デマンドで表示するために、標準の通信装置のみを用いる必要のあるディジタルオーディオビジュアル再生システムを提供する方法及び装置。ユーザーは、通信装置のキーパッドと、公衆電話網を通じたコミュニケーション接続を用いて、グラフィックユーザーインターフェース（ＧＵＩ）介してシステムとやり取りを行う。システムは動作の二つのモード、「コマーシャルモード」と「ジュークボックスモード」で動作する。コマーシャルモードは動作の連続的なモードで、ディジタル表示装置上に製品の広告を表示する。ジュークボックスモードは、ＧＵＩに表示される電話番号に電話をかけたエンドユーザーによって初期化される。一旦、中央データベースとの接続が確立されると、エンドユーザーは、最初の電話をかけるのに用いた電話のキーパッドを用いて音楽選択を行うように指示される。システムの使用に対する料金は、自動的に、通信装置の所有者に対して課金される。
2004530390.tif 000002
【特許請求の範囲】
【請求項１】
配信すべきディジタル情報を格納するディジタル情報サーバーと、
上記ディジタル情報を表示するための少なくとも一つの表示装置と、
ディジタル情報を要求する通信装置と、
上記ディジタル情報サーバーと表示装置との通信を行う第１コミュニケーションパスと、
上記通信装置と上記ディジタル情報サーバーとの通信を行う第２コミュニケーションパスとを備え、
上記ディジタル情報サーバーは、上記第１コミュニケーションパスを介して上記表示装置に表示されるディジタル情報を表示するための複数の選択を行うための複数のメニューを提供し、
上記選択は、上記通信装置を用いて行われ、上記第２コミュニケーションパスを介して上記ディジタル情報サーバーに送信され、
表示されるように選択された上記ディジタル情報は、上記選択に基づいて、上記第２コミュニケーションパスを介して上記ディジタル情報サーバーから上記ディジタル表示装置へと送られる、
ことを特徴とするディジタル情報配信装置。
【請求項２】
請求項１に記載のディジタル情報配信装置において、上記複数のメニューは、第１のメニューと第２のメニューとを備え、上記複数の選択は、第１の選択と第２の選択を備え、
上記ディジタル情報サーバーは、上記表示装置に表示すべきディジタル情報を選択するための上記第１のメニューを、上記第１コミュニケーションパスを介して提供し、
上記第１の選択は、通信装置を用いてなされ、上記第２コミュニケーションパスを介して上記ディジタル情報サーバーに送られ、
上記表示されるように選択されたディジタル情報は上記第１コミュニケーションパスを介して上記ディジタル情報サーバーから上記ディジタル表示装置に送られ、
上記ディジタル情報サーバーは上記第１の選択に基づいて上記第２のメニューを提供し、上記表示装置に表示すべきディジタル情報を選択するための上記第２のメニューを上記第１コミュニケーションパスを介して提供し、上記第２の選択は、上記通信装置を用いてなされ、上記第２コミュニケーションパスを介して上記ディジタル情報サーバーに送られ、
表示されるように選択された上記ディジタル情報は上記第２の選択に基づいて、上記第１コミュニケーションパスを介して上記ディジタル情報サーバーから上記ディジタル表示装置へと送られる、
ことを特徴とするディジタル情報配信装置。
【請求項３】
請求項２に記載のディジタル情報配信装置において、上記第１コミュニケーションパスは電話回線接続であることを特徴とするディジタル情報配信装置。
【請求項４】
請求項３に記載のディジタル情報配信装置において、上記第１コミュニケーションパスはインターネットであることを特徴とする記載のディジタル情報配信装置。
【請求項５】
請求項４に記載のディジタル情報配信装置において、上記第２コミュニケーションパスは、上記通信装置と公衆電話網の間の第１回線と、上記公衆電話網と上記ディジタル情報サーバーの間の第２回線とを備えることを特徴とするディジタル情報配信装置。
【請求項６】
請求項５に記載のディジタル情報配信装置において、電話番号は上記表示装置に表示され、上記第２コミュニケーションパスは、上記電話番号が上記通信装置を用いて呼び出された時にアクティブとなることを特徴とするディジタル情報配信装置。
【請求項７】
請求項６に記載のディジタル情報配信装置において、上記電話番号は第三者課金電話番号であることを特徴とするディジタル情報配信装置。
【請求項８】
請求項７に記載のディジタル情報配信装置において、予め定められた料金が上記ディジタル情報を要求するために必要であり、上記予め定められた料金は、上記第三者課金電話番号を介して、上記通信装置の所有者に課金されることを特徴とするディジタル情報配信装置。
【請求項９】
請求項８に記載のディジタル情報配信装置において、上記通信装置は携帯電話であることを特徴とするディジタル情報配信装置。
【請求項１０】
請求項９に記載のディジタル情報配信装置において、上記ディジタル情報サーバーは、音声メッセージを備え、該音声メッセージは、ディジタル情報の選択を指示し、上記表示装置に表示される特定のメニューに対応しており、
上記音声メッセージは、上記第２コミュニケーションパスを介して上記通信装置に提供される、
ことを特徴とするディジタル情報配信装置。
【請求項１１】
請求項１に記載のディジタル情報配信装置において、上記選択は、上記携帯電話のキーパッドを押すことにより行われることを特徴とするディジタル情報配信装置。
【請求項１２】
請求項１に記載のディジタル情報配信装置において、表示装置のそれぞれは上記第１コミュニケーションパスを用いて上記ディジタル情報サーバーに接続され、各表示装置は識別情報を備えていることを特徴とするディジタル情報配信装置。
【請求項１３】
請求項１２に記載のディジタル情報配信装置において、上記識別情報は、上記表示装置に表示されることを特徴とするディジタル情報配信装置。
【請求項１４】
請求項１３に記載のディジタル情報配信装置において、上記識別情報は、上記各表示装置について異なる識別番号であることを特徴とするディジタル情報配信装置。
【請求項１５】
請求項１４に記載のディジタル情報配信装置において、上記通信装置を用いて入力された上記識別番号は、上記選択が行われる前に入力され、上記ディジタル情報サーバーは上記ディジタル情報を上記表示装置に配信することを特徴とするディジタル情報配信装置。
【請求項１６】
配信すべきディジタル情報を格納するディジタル情報サーバーと、
上記ディジタル情報を表示するための表示装置と、
ディジタル情報を要求する通信装置と、
上記ディジタル情報をサーバーと表示装置との通信を行う第１コミュニケーションパスと、
上記通信装置と上記ディジタル情報サーバーとの通信を通信会社を介して行う第２コミュニケーションパスとを備え、
上記ディジタル情報サーバーは、上記選択に基づいて、上記ディジタル情報を上記第１コミュニケーションパスを介して上記表示装置に提供し、
上記選択は、上記通信装置を用いて行われ、上記第２コミュニケーションパスを介して上記ディジタル情報サーバーに送信され、
表示されるように選択された上記ディジタル情報は、上記第１コミュニケーションパスを用いて上記ディジタル情報サーバーから上記表示装置へと送られ、
予め定められた料金が上記ディジタル情報を要求するために必要であり、上記予め定められた料金は、上記通信装置の所有者に課金されることを特徴とするディジタル情報配信装置。
【請求項１７】
請求項１６に記載のディジタル情報配信装置は、
上記ディジタル情報の選択に用いられる上記通信装置の上記所有者に課金される上記予め定められた料金をメモリーに格納する請求書作成サーバーをさらに備え、
上記請求書作成サーバーは、上記ディジタル情報の選択に用いられる上記通信装置の上記所有者によって支払われるべき上記予め定められた料金に基づいて請求書を準備する、
ことを特徴とするディジタル情報配信装置。
【請求項１８】
請求項１７に記載のディジタル情報配信装置において、上記予め定められた料金は、上記選択が行われた時に上記請求書作成サーバーに格納されることを特徴とするディジタル情報配信装置。
【請求項１９】
請求項１８に記載のディジタル情報配信装置において、上記請求書作成サーバーは上記予め定められた料金を、少なくとも一つの予め定められた期間において計算することを特徴とするディジタル情報配信装置。
【請求項２０】
請求項１９に記載のディジタル情報配信装置において、上記請求書作成サーバーは、上記通信装置によってなされた通話料を格納し、上記予め定められた料金と上記通話料とを共に、少なくとも一つの予め定められた期間において計算することを特徴とするディジタル情報配信装置。
【請求項２１】
請求項１６に記載のディジタル情報配信装置において、上記第２コミュニケーションパスは、上記通信装置と公衆電話網の間の第１回線と、上記公衆電話網と上記ディジタル情報サーバーの間の第２回線とを備えることを特徴とするディジタル情報配信装置。
【請求項２２】
請求項１６に記載のディジタル情報配信装置において、上記ディジタル情報を要求するための電話番号は上記表示装置に表示され、上記第２コミュニケーションパスは、上記電話番号が上記通信装置を用いて呼び出された時にアクティブとなることを特徴とするディジタル情報配信装置。
【請求項２３】
請求項２２に記載のディジタル情報配信装置において、上記電話番号は第三者課金電話番号であることを特徴とするディジタル情報配信装置。
【請求項２４】
請求項２３に記載のディジタル情報配信装置において、予め定められた料金が上記ディジタル情報を要求するために必要であり、上記予め定められた料金は、上記第三者課金電話番号を介して、上記通信装置の所有者に課金されることを特徴とするディジタル情報配信装置。
【請求項２５】
配信すべきディジタルオーディオビジュアル情報を格納するディジタルオーディオビジュアル情報サーバーと、
上記ディジタルオーディオビジュアル情報を表示するための少なくとも一つの表示装置と、
ディジタルオーディオビジュアル情報を要求する通信装置と、
上記ディジタルオーディオビジュアル情報サーバーと表示装置との通信を行う第１コミュニケーションパスと、
上記通信装置と上記ディジタル情報サーバーとの通信を行う第２コミュニケーションパスとを備え、
上記ディジタルオーディオビジュアル情報サーバーは、上記第１コミュニケーションパスを介して上記表示装置に表示されるディジタルオーディオビジュアル情報を表示するための複数の選択を行うための複数のメニューを提供し、
上記選択は、上記通信装置を用いて行われ、上記第２コミュニケーションパスを介して上記ディジタル情報サーバーに送信され、
表示されるように選択された上記ディジタルオーディオビジュアル情報は、上記選択に基づいて、上記第２コミュニケーションパスを介して上記ディジタル情報サーバーから上記ディジタル表示装置へと送られる、
ことを特徴とするディジタルオーディオビジュアル情報配信装置。
【請求項２６】
請求項２５に記載のディジタルオーディオビジュアル情報配信装置において、上記複数のメニューは、第１のメニューと第２のメニューとを備え、上記複数の選択は、第１の選択と第２の選択を備え、
上記ディジタル情報サーバーは、上記表示装置に表示すべきディジタルオーディオビジュアル情報を選択するための上記第１のメニューを、上記第１コミュニケーションパスを介して提供し、
上記第１の選択は、通信装置を用いてなされ、上記第２コミュニケーションパスを介して上記ディジタル情報サーバーに送られ、
上記表示されるように選択されたディジタルオーディオビジュアル情報は上記第１コミュニケーションパスを介して上記ディジタル情報サーバーから上記表示装置に送られ、
上記ディジタル情報サーバーは上記第１の選択に基づいて上記第２のメニューを提供し、上記表示装置に表示すべきディジタルオーディオビジュアル情報を選択するための上記第２のメニューを上記第１コミュニケーションパスを介して提供し、上記第２の選択は、上記通信装置を用いてなされ、上記第２コミュニケーションパスを介して上記ディジタル情報サーバーに送られ、
表示されるように選択された上記ディジタルオーディオビジュアル情報は上記選択に基づいて、上記第２コミュニケーションパスを介して上記ディジタル情報サーバーから上記ディジタル表示装置へと送られる、
ことを特徴とするディジタルオーディオビジュアル情報配信装置。
【請求項２７】
請求項２６に記載のディジタルオーディオビジュアル情報配信装置において、上記第１のメニューは、上記ディジタルオーディオビジュアル情報のジャンルを選択するためのものであり、上記第２のメニューは、上記ディジタルオーディオビジュアル情報のタイトルを選択するためのものであり、
上記ディジタルオーディオビジュアル情報サーバーは、上記第１及び第２の選択に基づいて検索を行い、選択されたディジタルオーディオビジュアル情報を上記表示装置に提供する、
ことを特徴とするディジタルオーディオビジュアル情報配信装置。
【請求項２８】
請求項２に記載のディジタルオーディオビジュアル情報配信装置において、上記第１コミュニケーションパスは電話回線接続であることを特徴とするディジタルオーディオビジュアル情報配信装置。
【請求項２９】
請求項２８に記載のディジタルオーディオビジュアル情報配信装置において、上記第１コミュニケーションパスはインターネットであることを特徴とする記載のディジタルオーディオビジュアル情報配信装置。
【請求項３０】
請求項２９に記載のディジタルオーディオビジュアル情報配信装置において、上記第２コミュニケーションパスは、上記通信装置と公衆電話網の間の第１回線と、上記公衆電話網と上記ディジタル情報サーバーの間の第２回線とを備えることを特徴とするディジタルオーディオビジュアル情報配信装置。
【請求項３１】
請求項３０に記載のディジタルオーディオビジュアル情報配信装置において、電話番号は上記表示装置に表示され、上記第２コミュニケーションパスは、上記電話番号が上記通信装置を用いて呼び出された時にアクティブとなることを特徴とするディジタルオーディオビジュアル情報配信装置。
【請求項３２】
請求項３１に記載のディジタルオーディオビジュアル情報配信装置において、上記電話番号は第三者課金電話番号であることを特徴とするディジタルオーディオビジュアル情報配信装置。
【請求項３３】
請求項３２に記載のディジタルオーディオビジュアル情報配信装置において、予め定められた料金が上記ディジタル情報を要求するために必要であり、上記予め定められた料金は、上記第三者課金電話番号を介して、上記通信装置の所有者に課金されることを特徴とするディジタルオーディオビジュアル情報配信装置。
【請求項３４】
請求項３５に記載のディジタルオーディオビジュアル情報配信装置において、予め定められた料金が上記ディジタルオーディオビジュアル情報を要求するために必要であり、上記予め定められた料金は、上記通信装置の所有者に課金されることを特徴とするディジタルオーディオビジュアル情報配信装置。
【請求項３５】
請求項３４に記載のディジタルオーディオビジュアル情報配信装置において、上記通信装置は携帯電話であることを特徴とするディジタルオーディオビジュアル情報配信装置。
【請求項３６】
請求項３４に記載のディジタルオーディオビジュアル情報配信装置において、上記ディジタル情報サーバーは、音声メッセージを備え、該音声メッセージは、ディジタル情報の選択を指示し、上記表示装置に表示される特定のメニューに対応しており、
上記音声メッセージは、上記第２コミュニケーションパスを介して上記通信装置に提供される、
ことを特徴とするディジタルオーディオビジュアル情報配信装置。
【請求項３７】
請求項３６に記載のディジタルオーディオビジュアル情報配信装置において、上記選択は、上記携帯電話のキーパッドを押すことにより行われることを特徴とするディジタルオーディオビジュアル情報配信装置。
【請求項３８】
請求項３７に記載のディジタルオーディオビジュアル情報配信装置において、表示装置のそれぞれは上記第１コミュニケーションパスを用いて上記ディジタルオーディオビジュアル情報サーバーに接続され、各表示装置は識別情報を備えていることを特徴とするディジタルオーディオビジュアル情報配信装置。
【請求項３９】
請求項３８に記載のディジタルオーディオビジュアル情報配信装置において、上記識別情報は、上記表示装置に表示されることを特徴とするディジタルオーディオビジュアル情報配信装置。
【請求項４０】
請求項３９に記載のディジタルオーディオビジュアル情報配信装置において、上記識別情報は、上記各表示装置について異なる識別番号であることを特徴とするディジタルオーディオビジュアル情報配信装置。
【請求項４１】
請求項４０に記載のディジタルオーディオビジュアル情報配信装置において、上記識別番号は、上記通信装置を用いて、上記選択が行われる前に入力され、上記ディジタル情報サーバーは上記ディジタル情報を上記表示装置に配信することを特徴とするディジタルオーディオビジュアル情報配信装置。
【請求項４２】
請求項４１に記載のディジタルオーディオビジュアル情報配信装置において、予め定められた料金が上記ディジタルオーディオビジュアル情報を要求するために必要であり、上記予め定められた料金は、上記通信装置の所有者に課金されることを特徴とするディジタルオーディオビジュアル情報配信装置。
【請求項４３】
配信すべき第１ディジタル情報と第２ディジタル情報を格納するディジタル情報サーバーと、
上記第１及び第２ディジタル情報を表示するための少なくとも一つの表示装置と、
上記第１ディジタル情報を要求する通信装置と、
上記ディジタル情報サーバーと表示装置との通信を行う第１コミュニケーションパスと、
上記通信装置と上記ディジタル情報サーバーとの通信を行う第２コミュニケーションパスとを備え、
上記第１ディジタル情報の選択に基づいて、上記第１ディジタル情報を、上記第１コミュニケーションパスを用いて上記表示装置に提供する動作の第１モード、
上記選択は上記通信装置を用いてなされ、上記第２コミュニケーションパスを介してディジタル情報サーバーへ送られ、
表示されるように選択された上記第１ディジタル情報は、上記第１コミュニケーションパスを用いて上記ディジタル情報サーバーから上記表示装置へ送られ、
上記第２ディジタル情報を上記第２コミュニケーションパスを用いて上記表示装置に提供する第２モード、
上記ディジタル情報サーバーは、上記第１モードと上記第２モードを予め定められた時間に切り替える、
ことを特徴とするディジタル情報配信装置。
【請求項４４】
請求項４３に記載のディジタルオーディオビジュアル情報配信装置において、上記第１ディジタル情報はディジタルオーディオビジュアル情報であり、上記第２ディジタル情報はディジタル広告情報である、ことを特徴とするディジタルオーディオビジュアル情報配信装置。
【請求項４５】
請求項４４に記載のディジタルオーディオビジュアル情報配信装置において、上記ディジタル情報サーバーは、メニューとオーディオビジュアル情報を、上記第１モードが動作される時に提供し、
上記ディジタル情報サーバーは、上記メニューと上記広告情報を上記第２モードが動作される時に提供する、
ことを特徴とするディジタルオーディオビジュアル情報配信装置。
【請求項４６】
請求項４５に記載のディジタルオーディオビジュアル情報配信装置において、上記メニューは上記オーディオビジュアル情報のタイトルの選択のためのものであることを特徴とするディジタルオーディオビジュアル情報配信装置。
【請求項４７】
請求項４６に記載のディジタルオーディオビジュアル情報配信装置において、上記ディジタル情報サーバーは、上記オーディオビジュアル情報の上記選択に基づいて、上記第２モードから上記第１モードに切り替えを行うことを特徴とするディジタルオーディオビジュアル情報配信装置。
【請求項４８】
請求項４７に記載のディジタルオーディオビジュアル情報配信装置において、上記ディジタル情報サーバーは、予めさだめた期間内に選択が行われない場合には、上記第２モードから上記第１モードに切り替えを行うことを特徴とするディジタルオーディオビジュアル情報配信装置。
【請求項４９】
配信すべきディジタル情報を、ディジタル情報サーバーのメモリーに格納するステップと、
通信装置から上記格納したディジタル情報の要求を受け取るステップと、
上記ディジタル情報サーバーと表示装置との間に第１コミュニケーションパスを確立するステップと、
上記通信装置と上記ディジタル情報サーバーとの間に第２コミュニケーションパスを確立するステップと、
上記要求に基づいて゛上記ディジタル情報を選択するステップと、
少なくとも一つの表示装置に上記選択したディジタル情報を提供するステップと、を備え、
上記ディジタル情報サーバーは、上記第１コミュニケーションパスを用いて、上記表示装置に表示されるディジタル情報を表示するための複数の選択を行うための複数のメニューを提供し、
上記要求は、上記通信装置を用いて行われ、上記第２コミュニケーションパスを介して上記ディジタル情報サーバーに提供され、
表示されるように選択された上記ディジタル情報は、上記第１コミュニケーションパスを介して、上記ディジタル情報サーバーから上記ディジタル表示装置へと提供される、
ことを特徴とするディジタル情報配信方法。
【請求項５０】
請求項４９に記載のディジタル情報配信方法において、上記メニューは、第１のメニューと第２のメニューとを備え、上記複数の選択は、第１の選択と第２の選択を備えることを特徴とするディジタル情報配信方法。
【請求項５１】
請求項４９に記載のディジタル情報配信方法は、上記ディジタル情報サーバーは、上記表示装置に表示すべきディジタル情報の第１の選択を行わせるための第１のメニューを、上記第１コミュニケーションパスを介して提供するステップをさらに備え、
上記選択は、通信装置を用いてなされ、上記第１コミュニケーションパスを介して上記ディジタル情報サーバーに送られ、
上記表示されるように選択されたディジタル情報は上記第１コミュニケーションパスを介して上記ディジタル情報サーバーから上記ディジタル表示装置に送られ、
上記表示装置に表示すべきディジタル情報の第２の選択を行わせるため上記第１の選択に基づいて第２のメニューを提供するステップをさらに備え、
上記選択は通信装置を用いてなされ、上記第２コミュニケーションパスを介して上記ディジタル情報サーバーに送られ、
上記表示されるように選択されたディジタル情報は、上記第２の選択に基づき、上記第１コミュニケーションパスを介して上記ディジタル情報サーバーから上記ディジタル表示装置に送られる、
ことを特徴とするディジタル情報配信方法。
【請求項５２】
請求項５１に記載のディジタル情報配信方法において、上記第１コミュニケーションパスは電話回線接続であることを特徴とするディジタル情報配信方法。
【請求項５３】
請求項５２に記載のディジタル情報配信方法において、上記第１コミュニケーションパスはインターネットであることを特徴とする記載のディジタル情報配信方法。
【請求項５４】
請求項５３に記載のディジタル情報配信方法において、上記第２コミュニケーションパスは、上記携帯電話と公衆電話網の間の第１回線と、上記公衆電話網と上記ディジタル情報サーバーの間の第２回線とを備えることを特徴とするディジタル情報配信方法。
【請求項５５】
請求項５４に記載のディジタル情報配信方法は、上記表示装置に電話番号を表示するステップをさらに備え、
上記第２コミュニケーションパスは、上記電話番号が上記通信装置を用いて呼び出された時にアクティブとなることを特徴とするディジタル情報配信方法。
【請求項５６】
請求項５５に記載のディジタル情報配信方法において、上記電話番号は第三者課金電話番号であることを特徴とするディジタル情報配信方法。
【請求項５７】
請求項５６に記載のディジタル情報配信方法において、上記ディジタル情報を要求するための予め定められた料金を課金するステップをさらに備え、上記予め定められた料金は、上記第三者課金電話番号を介して、上記通信装置の所有者に課金されることを特徴とするディジタル情報配信方法。
【請求項５８】
請求項５７に記載のディジタル情報配信方法において、上記通信装置は携帯電話であることを特徴とするディジタル情報配信方法。
【請求項５９】
請求項５８に記載のディジタル情報配信方法において、上記表示装置に表示される特定のメニューに対応する音声メッセージを提供することにより、ディジタル情報の選択を指示するステップをさらに備え、
上記音声メッセージは、上記ディジタル情報サーバーにより、上記第２コミュニケーションパスを介して上記通信装置に提供される、
ことを特徴とするディジタル情報配信方法。
【請求項６０】
請求項５９に記載のディジタル情報配信方法において、上記選択は、上記携帯電話のキーパッドを押すことにより行われることを特徴とするディジタル情報配信方法。
【請求項６１】
請求項６０に記載のディジタル情報配信方法において、表示装置のそれぞれに特有の識別情報を用いて、上記ディジタル情報サーバーとの通信が可能な各表示装置を認識するステップをさらに備え、
上記識別情報は、各表示装置において異なる
ことを特徴とするディジタル情報配信方法。
【請求項６２】
請求項６１に記載のディジタル情報配信方法は、上記ディジタル情報の選択が行われる前に、上記通信装置を用いて、上記表示装置のための上記識別番号を入力するステップをさらに備えたことを特徴とするディジタル情報配信方法。
【請求項６３】
配信すべきディジタル情報を、ディジタル情報サーバーのメモリーに格納するステップと、
通信装置から上記格納したディジタル情報の要求を受け取るステップと、
上記ディジタル情報サーバーと表示装置との間に第１コミュニケーションパスを確立するステップと、
上記通信装置と上記ディジタル情報サーバーとの間に第２コミュニケーションパスを確立するステップと、
上記要求に基づいて゛上記表示装置に表示すべき上記ディジタル情報を選択するステップと、
上記表示装置に表示すべき上記ディジタル情報を選択するための上記通信装置の所有者に予め定められた料金を課金するステップと、
少なくとも一つの上記表示装置に、上記選択されたディジタル情報を表示するステップと、
上記ディジタル情報サーバーは、上記選択に基づいて、上記ディジタル情報を上記第１コミュニケーションパスを介して上記表示装置に提供し、
上記要求は、上記通信装置を用いて行われ、上記第２コミュニケーションパスを介して上記ディジタル情報サーバーに送信され、
表示されるように選択された上記ディジタル情報は、上記第１コミュニケーションパスを用いて上記ディジタル情報サーバーから上記表示装置へと送られる、
ことを特徴とするディジタル情報配信方法。
【請求項６４】
請求項６３に記載のディジタル情報配信方法は、
課金すべき上記予め定められた料金を、請求書作成サーバーのメモリーに格納するステップをさらに備え、
上記予め定められた料金は、上記所有者によって上記ディジタル情報の選択が行われ時に、上記請求書作成サーバーに格納される、
ことを特徴とするディジタル情報配信方法。
【請求項６５】
請求項６４に記載のディジタル情報配信方法は、
上記通信装置の上記所有者によって支払われるべき上記予め定められた料金を含む請求書を準備するステップをさらに備える、
ことを特徴とするディジタル情報配信方法。
【請求項６６】
請求項６５に記載のディジタル情報配信方法において、上記第２コミュニケーションパスは、上記通信装置と公衆電話網の間の第１回線と、上記公衆電話網と上記ディジタル情報サーバーの間の第２回線とを備えることを特徴とするディジタル情報配信方法。
【請求項６７】
請求項６６に記載のディジタル情報配信方法において、上記ディジタル情報を要求するための電話番号は上記表示装置に表示するステップをさらに備え、上記第２コミュニケーションパスは、上記電話番号が上記通信装置を用いて呼び出された時にアクティブとなることを特徴とするディジタル情報配信方法。
【請求項６８】
請求項６７に記載のディジタル情報配信方法において、上記電話番号は第三者課金電話番号であり、上記第三者課金電話番号は上記通信装置を用いて上記ディジタル情報を要求するために用いられることを特徴とするディジタル情報配信方法。
【請求項６９】
請求項６８に記載のディジタル情報配信方法において、上記通信装置の所有者に対する上記予め定められた料金の課金は、上記第三者課金電話番号を用いて達成されることを特徴とするディジタル情報配信方法。
【請求項７０】
配信すべき第１ディジタル情報と第２ディジタル情報を、ディジタル情報サーバーのメモリーに格納するステップと、
上記ディジタル情報の要求を通信装置から受け取るステップと、
上記ディジタル情報サーバーと表示装置との間の第１コミュニケーションパスを確立するステップと、
上記通信装置と上記ディジタル情報サーバーとの間の第２コミュニケーションパスを確立するステップと、
上記第１ディジタル情報の選択に基づいて、上記第１ディジタル情報を、上記第１コミュニケーションパスを用いて上記表示装置に提供する動作の第１モードを提供するステップと、
上記要求は上記第２コミュニケーションパスを介してディジタル情報サーバーに提供され、
表示されるように選択された上記第１ディジタル情報は、上記第１コミュニケーションパスを介して上記表示装置へ提供され、
上記第２ディジタル情報を上記第２コミュニケーションパスを介して上記表示装置に提供する第２モードを提供するステップと、
上記ディジタル情報サーバーは、予め定められた期間において、動作の上記第１モードから、動作の上記第２モードへ切り替えを行う、
ことを特徴とするディジタル情報配信方法。
【請求項７１】
請求項７０に記載のディジタルオーディオ情報配信方法において、上記第１ディジタル情報はディジタルオーディオビジュアル情報であり、上記第２ディジタル情報はディジタル広告情報である、ことを特徴とするディジタル情報配信方法。
【請求項７２】
請求項７１に記載のディジタル情報配信方法において、メニューとオーディオビジュアル情報を、動作の上記第１モードにおいて提供するステップと、
上記メニューと上記ディジタル広告情報を動作の上記第２モードの時に提供するステップとをそらに備えた、
ことを特徴とするディジタル情報配信方法。
【請求項７３】
請求項７２に記載のディジタル情報配信方法において、上記メニューは上記オーディオビジュアル情報のタイトルの選択のためのものであることを特徴とするディジタル情報配信方法。
【請求項７４】
請求項７３に記載のディジタル情報配信方法において、上記オーディオビジュアル情報の選択上記通信装置を用いて行われた場合には、動作の上記第２モードから動作の上記第１モードに切り替えを行うステップをさらに備えたことを特徴とするディジタル情報配信方法。
【請求項７５】
請求項７４に記載のディジタル情報配信方法において、予めさだめた期間内に選択が行われない場合には、動作の上記第２モードから動作の上記第１モードに切り替えを行うことを特徴とするディジタル情報配信方法。
【請求項７６】
配信すべきディジタル情報を、ディジタル情報サーバーのメモリーに格納するステップと、
少なくとも一つの通信装置を用いて上記格納したディジタル情報の要求を受け取るステップと、
上記ディジタル情報サーバーと表示装置との間に第１コミュニケーションパスを確立するステップと、
上記通信装置と上記ディジタル情報サーバーとの間に第２コミュニケーションパスを確立するステップと、
上記ディジタルオーディオビジュアル情報を表示するための複数の選択を提供するステップと、
少なくとも一つの表示装置に上記選択したディジタル情報を提供するステップと、を備え、
上記ディジタルオーディオビジュアル情報サーバーは、上記第１コミュニケーションパスを介して、上記表示装置に表示されるディジタルオーディオビジュアル情報を表示するための複数の選択を行うための複数のメニューを提供し、
上記要求は、上記通信装置を用いて行われ、上記第２コミュニケーションパスを介して上記ディジタル情報サーバーに提供され、
上記ディジタルオーディオビジュアル情報は、上記第２コミュニケーションパスを用いて、表示すべき上記ディジタル表示装置へと提供される、
ことを特徴とするディジタルオーディオビジュアル情報配信方法。
【請求項７７】
請求項７６に記載のディジタル情報配信方法において、上記複数のメニューは、第１のメニューと第２のメニューとを備え、上記複数の選択は、第１の選択と第２の選択を備えることを特徴とするディジタル情報配信方法。
【請求項７８】
請求項７７に記載のディジタルオーディオビジュアル情報配信方法は、上記第１のメニューを用いて、上記表示装置に表示すべきディジタルオーディオビジュアル情報の第１の選択を行わせるステップをさらに備え、
上記選択は、通信装置を用いてなされ、上記第２コミュニケーションパスを介して上記ディジタル情報サーバーに送られ、
選択された上記ディジタルオーディオビジュアル情報は上記第１コミュニケーションパスを用いて上記ディジタル情報サーバーから表示すべき上記ディジタル表示装置に送られる、
ことを特徴とするディジタルオーディオビジュアル情報配信方法。
【請求項７９】
請求項７８に記載のディジタルオーディオビジュアル情報配信方法は、
上記第２のメニューを用いて、上記表示装置に表示すべきディジタルオーディオビジュアル情報の第２の選択を行わせるステップをさらに備え、
上記第２の選択は通信装置を用いてなされ、上記第２コミュニケーションパスを介して上記ディジタル情報サーバーに送られ、
上記第２のメニューは、上記第１の選択に基づいており、上記ディジタルオーディオビジュアル情報は、上記第２の選択に基づいて、上記第１コミュニケーションパスを介して上記ディジタル情報サーバーから上記表示装置に送られる、
ことを特徴とするディジタルオーディオビジュアル情報配信方法。
【請求項８０】
請求項７９に記載のディジタルオーディオビジュアル情報配信方法において、上記第１のメニューは、上記ディジタルオーディオビジュアル情報のジャンルを選択するためのものであり、上記第２のメニューは、上記ディジタルオーディオビジュアル情報のタイトルを選択するためのものであり、
上記ディジタルオーディオビジュアル情報サーバーは、上記第１及び第２の選択に基づいて検索を行い、選択されたディジタルオーディオビジュアル情報を上記表示装置に提供する、
ことを特徴とするディジタルオーディオビジュアル情報配信方法。
【請求項８１】
請求項８０に記載のディジタルオーディオビジュアル情報配信方法において、上記第１コミュニケーションパスは電話回線接続であることを特徴とするディジタルオーディオビジュアル情報配信方法。
【請求項８２】
請求項８１に記載のディジタルオーディオビジュアル情報配信方法において、上記第１コミュニケーションパスはインターネットであることを特徴とする記載のディジタルオーディオビジュアル情報配信方法。
【請求項８３】
請求項８２に記載のディジタルオーディオビジュアル情報配信方法において、上記第２コミュニケーションパスは、上記通信装置と公衆電話網の間の第１回線と、上記公衆電話網と上記ディジタル情報サーバーの間の第２回線とを備えることを特徴とするディジタルオーディオビジュアル情報配信方法。
【請求項８４】
請求項８３に記載のディジタルオーディオビジュアル情報配信方法において、上記表示装置に電話番号を表示するステップをさらに備え、上記第２コミュニケーションパスは、上記電話番号が上記通信装置を用いて呼び出された時にアクティブとなることを特徴とするディジタルオーディオビジュアル情報配信方法。
【請求項８５】
請求項８４に記載のディジタルオーディオビジュアル情報配信方法において、上記電話番号は第三者課金電話番号であることを特徴とするディジタルオーディオビジュアル情報配信方法。
【請求項８６】
請求項８５に記載のディジタルオーディオビジュアル情報配信方法において、上記ディジタル情報を要求するための予め定められた料金を課金するステップをさらに備え、上記予め定められた料金は、上記第三者課金電話番号を介して、上記通信装置の所有者に課金されることを特徴とするディジタルオーディオビジュアル情報配信方法。
【請求項８７】
請求項８６に記載のディジタルオーディオビジュアル情報配信方法において、上記通信装置は携帯電話であることを特徴とするディジタルオーディオビジュアル情報配信方法。
【請求項８８】
請求項８７に記載のディジタルオーディオビジュアル情報配信装置において、上記表示装置に表示される上記メニューに対応する音声メッセージを提供することにより、ディジタルオーディオビジュアル情報の選択を指示するステップをさらに備え、
上記音声メッセージは、上記ディジタル情報サーバーにより、上記第２コミュニケーションパスを用いて上記通信装置に提供される、
ことを特徴とするディジタルオーディオビジュアル情報配信方法。
【請求項８９】
請求項８８に記載のディジタルオーディオビジュアル情報配信方法において、上記選択は、上記携帯電話のキーパッドを押すことにより行われることを特徴とするディジタルオーディオビジュアル情報配信方法。
【請求項９０】
請求項８９に記載のディジタルオーディオビジュアル情報配信方法において、各上記表示装置に特有の識別情報用いて、上記ディジタル情報サーバーとの通信が可能な各表示装置を認識するステップをさらに備え、
各表示装置の識別情報は異なることを特徴とするディジタルオーディオビジュアル情報配信方法。
【請求項９１】
請求項９０に記載のディジタルオーディオビジュアル情報配信方法において、上記ディジタル情報の上記選択が行われる前に、上記通信装置を用いて、上記表示装置のための上記識別情報を入力するステップをさらに備えたことを特徴とするディジタルオーディオビジュアル情報配信方法。
【発明の詳細な説明】
【技術分野】
【０００１】
本発明は、通信装置及び通信接続を用いて音楽及び映像データのようなディジタルコンテンツを遠隔的に表示するインタラクティブ、オン・デマンド・ディジタル情報配信システムを提供する装置及び方法に関する。
【先行技術の開示】
【０００２】
ジュークボックスシステムは、装置に備えられたレコードや光ディスクを再生することにより録音された音楽を演奏する装置であるが、バー、レストラン等の娯楽施設で人気がある。曲をリクエストするには、ユーザーは金をジュークボックスに入れ、ジュークボックスに表示される曲のタイトルリストから希望の曲を選択する。次に、ジュークボックスは既存の曲のタイトルを検索し、選択された曲が録音されているレコードまたはディスクを選択し、その曲を再生する。
【０００３】
しかしながら、そのようなジュークボックスを保守整備することに関連していくつかの欠点がある。例えば、レコードやディスクを交換することが、新しい流行の曲を追加し、あまり人気のない曲を移す目的で、定期的に必要となる。さらに、曲をリクエストしたい者は、ジュークボックスのところまで歩き、金を入れ、希望の曲を選択しなければならない。また、ジュークボックスに入れられた金を定期的に集める人が必要となる。
【０００４】
ディジタル映像情報を配信するために多くの方法が用いられてきた。例えば、いくつかのオーディオビジュアル再生システムは、一般に、エンドユーザーが自分たちの聴いたり観たりする楽しみのために既存の家庭電子機器にリアルタイムのオーディオビジュアルデータをダウンロードできるビデオ・オン・デマンドシステムを指向している。ビデオ・オン・デマンドの考えは、主に、リアルタイムのオーディオビジュアルデータを非常に多量に且つ非常に高速にダウンロードするためのホスト−クライアント・アーキテクチャアに基づいている。このようなシステムの目的は、例えば、省略なしの映画を、サウンドと共に、オンラインの受信契約者に提供することにある。一般的に、遠隔のユーザーはオーディオビジュアルデータを含む大きなメインフレームサーバーと通信を行っている。
【０００５】
電話ネットワークは、グッドマン他、米国特許No. 5,010,319 及びクレイナーマン、米国特許No. 4,849,811、これらは全体を参照することでここに取り入れられているが、において、エンドユーザーに対してオーディオビジュアルデータを配信する方法として提案されてきている。これらの引例においては、オーディオビジュアルデータは、公衆交換電話網（ＰＳＴＮ）を用いてオーディオビジュアルデータが配信されるが、これはしばしば帯域幅制限され静止画像またはビデオ会議機能のみを提供する。電話システムの回線業者は、多くは、受信契約者間の接続性のためだけに公衆交換電話網を用いるので、専用のリースされた広帯域幅の回線を用いることなく、ディジタル化されたビデオの動的なルーティングを行うことはできない。
【０００６】
米国特許No. 5,247,347、リテラル他は、公衆交換電話網上の受信契約者にビデオ番組を提供する所謂ビデオ・オン・デマンド・サービスを開示している。このような特許の開示は、参照することでここに取り入れられている。ビデオ情報プロバイダー（ＶＩＰ）は、中央オフィスに対する接続性を提供する広帯域公衆交換電話網上でコード化されたディジタルビデオデータを送信する。そのビデオデータは、普通の従来の電話システム（ＰＯＴＳ）回線上で受信契約者に送信するために、上記中央オフィスでバッファに入れるようにしてもよい。受信契約者は、ビデオ番組を申し込むために、公衆交換電話網上で標準の電話装置を用いるか、あるいは、ＩＳＤＮパケットネットワーク上で専用の制御装置を用いるようにしてもよい。このような制御装置は、受信契約者のテレビセットの最も近くに設置されており、テレビ画面上の番組メニューの表示を可能にする。上記中央のオフィスと受信契約者間のビデオデータ送信のための接続性は、非対称デジタル加入者回線（ＡＤＳＬ）システムにより提供される。ＡＤＳＬインターフェースユニットは、受信契約者に送信されるディジタルビデオ情報と音声情報を多重化し、受信契約者から上記中央オフィスへのリバース制御チャンネルのＩＳＤＮパケットデータネットワーク上の送信を支援する。上記開示されたシステムは家庭に設置された固定の変換した又はディジタルの加入者装置を用いて帯域幅を改善することにより、ビデオの配信手段を改善しているが、それでも尚、オーディオビジュアルデータをオン・デマンドで表示するために、エンドユーザーに高価な家庭内電子機器を所有することを要求している。
【０００７】
ビデオのオン・デマンドシステムの領域における改善は、米国特許No.5,956,716、ケンナー他、これは参照することでここに取り入れられているが、に開示されているように、ビデオデータの配信手段としてインターネットを用いることで達成されている。この先行技術例は、エンドユーザーが、インターネットを通じてワールド・ワイド・ウェブ（ＷＷＷ）またはウェブのような環境からデータにアクセスすることを可能にするビデオクリップ及び検索システムを開示している。このシステムは、このシステムとのインターフェースを有するＰＣ端末上で再生される省略のない音楽ビデオ及び映画をオンラインの加入者に提供する。しかしながら、このビデオ・オン・デマンドシステムは、まだ、高価で洗練されたコンピュータ及び通信システム、これらは省略のない映画をオン・デマンドで加入者に供給するのに適しているのであるが、これらの使用を必要としている。言い換えれば、このようなシステムは、サービスを利用するための毎月の加入料の支払いを必要とするだけでなく、リクエストしたオーディオビジュアルデータをダウンロードし、再生するための高価な家庭内コンピューターまたは電子機器をユーザーが持つ必要がある。
【０００８】
米国特許No. 5,914,941、ジャンキーは、データ・オン・デマンドサービスのコストを僅かに低減する携帯用の再生システムを開示する。この引例の開示は、参照することでここに取り入れられている。ジャンキーは、携帯用の大容量オーディオレコーダーと再生装置を用いて、離れたところにあるソースからのオンデマンドのオーディオ番組素材及び申し込みを開示する。しかしながら、ジャンキーの装置は、一部分、オーディオテープレコーダーのディジタル的な置き換えであり、ビデオのオン・デマンド型のサービスには利用できない。
【０００９】
本発明の一つの目的は、上記先行技術に係る問題を解決することにある。本発明の他の目的は、ユーザーが通信装置を用いてインタラクティブに操作することのできる高品質なディジタル情報配信装置及び方法を提供する方法及び装置を提供することにある。
【００１０】
本発明は、配信すべきディジタル情報を格納するディジタル情報サーバーと上記ディジタル情報を表示する少なくとも一つの表示装置と、ディジタル情報を要求する通信装置と、上記ディジタル情報をサーバーと表示装置に伝達する第１のコミュニケーションパスと、上記通信装置と上記ディジタル情報サーバーとの通信を行う第２のコミュニケーションパスとを備える。上記ディジタル情報サーバーは、上記第１のコミュニケーションパスを介して上記表示装置に表示されるディジタル情報を選択するためのメニューを提供する。その表示されたメニューに基づく選択は、通信装置によって入力され、上記第２コミュニケーションパスを介してディジタル情報サーバーに送信される。そして、上記ディジタル情報サーバーは上記選択に基づいて上記ディジタル情報を提供する。
【００１１】
従って、本発明の他の目的は、ユーザーが通信装置を用いてインタラクティブに操作できる高品質のディジタルオーディオビジュアル情報配信装置及び方法を提供する方法及び装置を提供することにある。
【００１２】
このディジタルオーディオビジュアル情報配信装置は、配信すべきディジタルオーディオビジュアル情報を格納するディジタルオーディオビジュアル情報サーバーと、上記ディジタルオーディオビジュアル情報を表示する少なくとも一つの表示装置と、上記ディジタルオーディオビジュアル情報を要求する通信装置と、上記ディジタルオーディオビジュアル情報サーバー及び上記表示装置と通信を行う第１コミュニケーションパスと、上記通信装置及び上記ディジタルオーディオビジュアル情報サーバーと通信する第２コミュニケーションパスとを備える。このディジタルオーディオビジュアル情報サーバーは、上記第１コミュニケーションパスを介して上記表示装置に表示すべきディジタルオーディオビジュアル情報を選択するためのメニューを提供する。このメニューに基づく選択は、上記携帯装置によって入力され、上記第２コミュニケーションパスを介して上記ディジタルオーディオビジュアル情報サーバーに送信される。そして、上記ディジタルオーディオビジュアル情報サーバーは上記選択に基づいてディジタル情報を提供する。
【００１３】
本発明のさらに他の目的は、請求料金を便利に訂正する方法及び装置を提供することにある。このシステムを使用するための料金は通信装置の所有者に直接課金される。
【００１４】
このディジタル情報配信装置は、配信すべきディジタル情報を格納するディジタル情報サーバーと、ディジタル情報を表示する表示装置と、上記ディジタル情報を要求する通信装置と、上記ディジタル情報サーバー及び上記表示装置と通信を行う第１コミュニケーションパスと、電話会社を介して上記通信装置及び上記ディジタル情報サーバーと通信する第２コミュニケーションパスとを備える。このディジタル情報サーバーは、上記第２コミュニケーションパスを介して送信され、上記通信手段によって入力された選択に基づき、上記第１コミュニケーションパスを介して上記表示装置にディジタル情報を選択するためのメニューを提供する。そして次に、上記ディジタル情報を提供するのに必要な予め定められた料金が上記通信装置の所有者に課金される。
【００１５】
本発明の上記及び他の側面、特徴及び利点は、添付の図面または図表と共になされる以下の説明から、本発明の属する技術における通常の技術を有する者にとって明らかになるであろう。ここにおいて、
【発明を実施するための最良の形態】
【００１６】
以下の実例となる、限定されない実施例の説明は、具体的な構成、構成要素、及び操作を開示する。しかしながら、実施例は本発明の単なる例であり、よって、以下に記述される具体的な特徴は単にそのような実施例をより簡単に記述するために、及び本発明の全体的な理解を与えるものである。従って、この技術において熟練した者は、本発明が以下に記述する具体的な実施例に限定されないことを容易に理解するであろう。さらに、この技術において熟練した者にとって知られていたであろう本発明の様々な構成、構成要素、及び操作のせつめいは、明瞭さと簡潔さのために省略されている。
【００１７】
図面を参照しながら、本発明の実例となる、限定されない実施例に従ってディジタルオーディオビジュアル再生システムＳの概念が図１に示される。このシステムＳは、バー、コーヒー店、レストラン、または他の商業施設のような一般の公衆に開放された遠隔の場所に設置されたディジタル表示装置１を含む。ディジタル表示装置１は、大きなワイドスクリーンを有するＰＣ、テレビ、またはプラズマディスプレイパネル（ＰＤＰ）システムでもよい。また、スピーカシステムが、遠隔の場所でディジタルオーディオ情報を再生するために設置されている（スピーカシステムは、図１に示されていない）。ディスプレイ装置１はグラフィックユーザーインターフェース（ＧＵＩ）２の使用とディジタル情報を表示するためのコントローラー、これは図２と図３により詳しく示されるが、を含む。ＧＵＩ２は、エンドユーザーに、メニュー選択の入力、数字の入力、決定、その他のような操作のために、ディジタルオーディオビジュアルシステムＳとのやり取りを可能にする。具体的には、ＧＵＩ２は、音楽ビデオクリップやインタラクティブゲームのようなディジタル情報またはオーディオビジュアルデータを要求するために、ディジタル表示装置１上に表示される電話番号に電話をかけるようにエンドユーザーに指示する。次に、エンドユーザーは、携帯装置のようなパーソナル通信装置４を介して表示された番号に電話をかける。一つの実施例では、通信装置４は、標準的な携帯電話である。次に、通信装置４は、通信センター６に対してワイヤレス接続３を行い、通信センター６は接続回線７を介して中央データベース５に接続される。接続回線７は、物理的な接続回線、ワイヤレス送信路、衛星送信路等でもよい。このように、パーソナル通信装置４は、通信センター６を介して中央データベース５に接続される。しかしながら、エンドユーザーは、また、携帯電話４の代わりに、標準的な地上回線、または商業施設の固定式電話、あるいはインターネット電話を用いることができる。
【００１８】
本発明に従って、もしエンドユーザーが電話をかけるために固定式の電話を用いた場合には、その電話は要求したディジタル情報のための及び／またはシステムＳを用いるため料金を課金するために、テレホンカード、クレジット・カード等を用いてなされなければならない。もしエンドユーザーが携帯電話を用いた場合には、料金は、エンドユーザーの携帯電話の口座に直接課金される。システムＳを用いてエンドユーザーに行われた電話は、通信センター６、一例として電話会社に設けられているものであるが、これを経由して送られる。その電話は、次に、通信センター６によって完了され、次に中央データベース５に接続される。このデータベース５は配信サーバー５ａとデータサーバー５ｂを含み、要望されたディジタル情報またはオーディオビジュアルデータを含んでいる。多くのディジタル表示装置１は、要求されたディジタルまたはオーディオビジュアルデータを表示するために、標準のインターネット接続８を介して中央データベース５に接続されることができる。
【００１９】
システムＳの中央データベース５とエンドユーザーとの間のやり取りは、エンドユーザーが所有する通信装置４のキーパッドの使用を通じて達成される。言い換えれば、エンドユーザーはディジタル表示装置１に表示される要望した音楽選択に対応するキーパッド上の数字または文字を用いて音楽選択を行う。エンドユーザーによってキーパッドを用いてなされた操作は、ワイヤレス接続３、通信センター６、及び通信回線７を介して中央データベース５に送られる。
【００２０】
音楽選択または操作に対応して、配信サーバー５ａは、エンドユーザー２の特定のディジタル情報の要求を援助するためのナビゲーションメニューを作成する。ナビゲーションメニューはインターネット接続８を介してディジタル表示装置１に提供される。また、配信サーバー５ａはエンドユーザーによって行われた選択に対応する他のナビゲーションメニューを作成する。エンドユーザーによって選択が行われた後、要望されたディジタル情報、オーディオビジュアルデータ、またはインタラクティブなゲームデータは、エンドユーザーが読み、聴き、観て楽しむために、中央センター５内のデータサーバー５から、遠隔のディジタル表示装置１に送られる。一旦要望されたディジタル情報、オーディオビジュアルデータ、またはゲームデータの選択がエンドユーザーによって行われると、中央データベース５内の配信サーバー５ａはデータサーバー５ｂでそのようなデータを検索する。次に、配信サーバー５ａは、要求されたディジタル情報またはオーディオビジュアルデータを、一地方のインターネットプロバイダーによって提供されるタイプのような標準のインターネット接続８を介して、ディジタル表示装置１に配信する。また、インターネット接続８の代わりに、公衆電話回線、これはディジタル表示装置１及び中央データベース５に接続するが、これを用いても良い。
【００２１】
システムＳを使用する料金または使用料は、直接、通信装置４の所有者に課金される。それから、固定式の通信装置の場合には、サービスの使用料は、テレホンカード、クレジットカード等の所有者に直接課金されるであろう。課金手続きは、通信センター６によって取り扱われる。他の実施では、ディジタル情報、オーディオビジュアルデータ、ゲームデータの要求のための、またはシステムＳの使用のための料金の課金については、第三者課金電話番号が用いられる。第三者課金電話番号はアメリカ合衆国ではエリアコードが９００、９７７等の、または日本では０９９０の電話番号である。ディジタル表示装置１のＧＵＩ２に表示される第三者課金電話番号への電話をかけることに対応して、エンドユーザーは中央データベース５に接続される。システムＳの使用のための料金は、第三者請求書発行機構の使用を通じて請求され、通信装置４の所有者に直接請求される。本発明の請求書発行の側面の一例は、以下により詳しく説明されるであろう。
【００２２】
上述した本発明のディジタル情報配信システムＳに従って、オーディオビジュアル再生システム（例えば、ジュークボックスシステム）の一例の操作の説明が述べられるであろう。もしエンドユーザーが家から離れている間そしてそのようなサービスを提供する商業施設にいる間に音楽ビデオクリップの再生を要望すると、エンドユーザーは、最初に、ディジタル表示装置１に表示される番号に電話する。電話は、通信センター６を介して通信装置４から中央データベース５に送られる。一旦接続が確立されると、配信サーバー５ａはＧＵＩ２を介して表示装置１に表示されるべき一連のメニュー、オプション等を出力する。例えば、エンドユーザーは、ロック、ヒップホップ、メタル、Ｒ＆Ｂ、ジャズ、ラップ、またはディスコのような音楽のジャンルまたはタイプの一つを選択することができる。エンドユーザーは最初の電話をするのに私用した通信装置４上のキーパッドを用いてＧＵＩ２とやり取りすることで、選択を行う。一旦最終的な選択がなされると、中央データベースセンター５は、インターネット回線８を介して、これは商業施設の所有者、例えばバー、レストラン、コーヒー店の所有者によって保守整備されているが、ディジタル表示装置１に音楽ビデオクリップ（オーディオビジュアルデータ）を送信する。ディジタル表示装置１は商業施設に設置され、複数のユーザーに対応することができる。もしオーディオビジュアルデータの表示について一つ以上の要求があれば、要求は受け取った順序に従って順次に表示されるであろう。
【００２３】
図２は、ジュークボックスシステムＳｊに関連する本発明のディジタルオーディオビジュアル再生システムの実施例の詳細な概略を示す。
【００２４】
ジュークボックスシステムＳｊは、ディジタル表示装置１、通信装置４、中央データベース５、及び通信センター６を備える。データベース５は配信サーバー５１、ダイヤルトーンマルチ周波数（ＤＴＭＦ）サーバー５２、課金サーバー５３、広告サーバー５４、音楽データサーバー５５、及びシステムバス５６、これはサーバー５１−５５に相互に接続している。また、通信センター６電話局６１及び請求書作成サーバー６２を備えている。
【００２５】
ディジタル表示装置１は、大きな表示面を有するプラズマ表示パネル（ＰＤＰ）１１、及び中央データベースセンター５から提供されるディジタル情報の表示を制御し、中央データベース５と通信するコントローラーボックス１２を備えている。また、スピーカーシステム（図示せず）が設置されている。ジュークボックスＳｊはディジタル表示装置１上に二つの異なる表示モードを有している。最初のモードは主に音楽ビデオクリップを表示するジュークボックスモードである。図３に示すように、ＰＤＰ１１上の表示領域はジュークボックスモード内に三つの表示領域を有している。コントローラボックス１２の制御の下、最初の領域２０１は第三者課金電話番号２１とバーコード番号２２が表示され、第２の領域２０２はナビゲーションメニューが表示され、第３の領域２０３は音楽ビデオクリップ２４が表示されるところである。ＰＤＰ１１に表示されるべき情報はインターネット接続８０を通ってインターネットサーバー８１を介して中央データベース５に設けられた配信サーバー５１及び音楽データサーバー５５から提供される。インターネット接続８０は標準の電話回線で置き換えてもよい。
【００２６】
第２のモードは主に広告を表示するコマーシャルモードである。図４に示すように、コマーシャルモードにおいては、ＰＤＰ１１上の表示領域は三つの表示領域を有している。コントローラーボックス１２の制御の下、第１の領域２１１は第三者課金電話番号２１とバーコード番号２２が表示され、第２の領域２１２はナビゲーションメニュー２３が表示され、第３の領域２１３は広告２５が表示されるところである。ＰＤＰ１１上に表示されるべき情報は、インターネット接続８０を通してインターネットサーバー８１を介して中央データベース５に設けられた配信サーバー５１及びまた広告サーバー５４から提供されるであろう。図４において、４つの広告が表示されている。広告は静止画（バナー）及び／または動画でもよい。
【００２７】
上述した二つのモードのいずれかの代わりにまたは追加として、システムＳｊはミックスモードで動作する。ミックスモードは図５に示すように音楽ビデオクリップ２４と広告２５を組み合わせている。ミックスモードにおいては、ＰＤＰ１１上の表示エリアは４つの表示領域がある。第１の領域２２１は第三者課金電話番号２１とバーコード番号２２が表示されるところである。第２の領域２２２はナビゲーションメニュー２３が表示されるところである。第３の領域２２３は音楽ビデオクリップ２４が表示され、第４の領域２２４は広告２５が表示されるところである。ジュークボックスモードとコマーシャルモードは配信サーバー５１の制御の下、予め定められたプログラムにも基づいて変更される。
【００２８】
図３−５に示すように、キーパッド４２を備えた携帯電話４１（例えば、セルラー電話）またはキーパッド４４を備えたパーソナルハンディホン（ＰＳ）４３を通信装置４として用いてもよい。しかしながら、通信装置４は、このような装置４１及び４３に限定されない。この技術に熟練した者は他の多く装置を用いてもよいことわ理解するであろう。ＰＨＳ４５はＰＨＳホームターミナル４７、これはいくつかのＰＨＳホームターミナル４７に接続に接続してもよいし各ＰＨＳ４５からの呼出を制御するのであるが、これに接続される。携帯電話４１は携帯電話接続７２を通じて電話局６１に接続される。また、ＰＨＳ４３はＰＨＳホームターミナル４７及びＰＨＳ電話接続７１を通じて電話局６１に接続される。
【００２９】
通信センター６においては、電話局６１は、通話時間、電話した番号、電話した日付、ジュークボックスシステムを用いた曲のリクエストのような請求書情報、請求書作成サーバー６２に送る。また、電話曲６１は、信号を通信装置４からＤＴＭＦサーバー５２に送り、信号（いくつかの音声メッセージを含む）をＤＴＭＦサーバー５２から通信装置４へ送る。請求書作成サーバー６２は携帯電話４１またはＰＨＳ４５のユーザーのための請求書情報を管理し、通話料金及びユーザーによって要求された全ての曲の料金を含む請求書を作成する。電話曲６１とＤＴＭＦサーバー５２は接続７３を介して接続されており、請求書作成サーバー６２と課金サーバー５３は接続回線７４を介して接続されている。
【００３０】
もしエンドユーザーが携帯電話４１の使用を選んだ場合には、彼または彼女の電話は、ＰＤＰ１１の第１の領域２０１に表示される第三者課金電話番号２１に電話を行うことにより、携帯電話接続７２を介して通信センター６に接続される。特定の曲が要求される前に、配信サーバー５１はサンプル音楽ビデオクリップとナビゲーションメニューを、ジュークボックスモードのディジタル表示装置１に提供する。または、サーバー５１は広告とナビゲーションメニューを、ディジタル表示装置１に提供してもよい。コマーシャルモードにおいては、サーバー５１はディジタル表示装置１４に広告を提供する。同様に、もしエンドユーザーがＰＨＳ４５の使用を選んだ場合には、電話はＰＨＳ電話接続７１を介して通信センター６に対して完了されるであろう。このとき、接続７３は通信センター６の電話局６１から中央データベース５のＤＴＭＦサーバー５２に対して形成される。エンドユーザーによって携帯電話４１のキーパッドにより入力された選択についての情報は、携帯電話接続７２と、電話局６１とＤＴＭＦサーバー５２間の接続７３とを介して中央データベース５に送られる。ＤＴＭＦサーバー５２は携帯電話４１からのトーン情報を認識し、配信サーバー５１に要求を転送する。このような情報に基づいて、配信サーバー５１は決定を行い、データを検索し、ＤＴＭＦサーバー５２に応答する。また、ＤＴＭＦサーバー５２は配信サーバー５１によってなされた応答を接続７３と携帯電話接続７２を介して携帯電話４１に送る。例えば、エンドユーザーに次の選択または曲を選択するための指示を入力するように指示する音声メッセージは応答として携帯電話４１に送られる。さらに、もし携帯電話４１がインターネット接続の特徴を有している場合には、配信サーバー５１はＰＤＰ１１に表示されるいくつかのコンテンツを含む携帯電話４１のためのナビゲーションメニューを提供してもよい。
【００３１】
携帯電話接続７２と接続７３を介して携帯電話４１と中央データベース５間の接続が完了した時、エンドユーザーは次に、バーコード２２、これはＰＤＰ１１内の第１の領域２０１に表示されるが、これを入力するように指示される。バーコードは、ディジタル表示装置１の物理的な位置を認識するための認識番号である。異なるバーコードは、異なる場所に設置されるディジタル表示装置１のそれぞれに割り当てられる。（もし複数のディジタル表示装置１が同じ場所にあり、あるいは、同じフロアに設置され、もしくはレストラン、バー、またはコーヒー店のような施設の同じ部屋に設置される場合には、各ディジタル表示装置１は同じバーコードを持ってもよい）。また、バーコードは表示装置１の設置場所が変わった場合には変更することができる。エンドユーザーは携帯電話４１のキーパッドを用いてバーコードを入力し、配信サーバー５１はディジタル表示装置１が曲を選択しようとしていることを認識する。次に、ＰＤＰ１１内の第２の領域２０１に表示されるナビゲーションメニュー２３を見ながら、エンドユーザーはキーパッド４２により音楽カテゴリー（ジャンルまたはスタイル）を選択するように指示される。（明らかに、音楽カテゴリーの代わりに、他のメニューオプションまたはメニュータイプがエンドユーザーの曲の選択の支援に用いられてもよい）。エンドユーザーはキーパッド４２上の数字を押すことにより曲を要求する選択を行う。一例として、数字は、ＰＤＰ１１に表示され音楽カテゴリーに関連するナビゲーションメニュー２３内の番号に対応する。例えば、図３に示すように、数字「１」は「ロック」に対応し、数字「３」は「メタル」に対応する。
【００３２】
もし１以上の音楽ビテオクリップが同じ場所で選択された場合には、選択された音楽ビデオクリップはエンドユーザーによる選択の順序に基づいて順次に表示されるであろう。この曲を選択する選択手続きはエンドユーザーによって最終選択が行われるまで継続される。一つの実施例では、音楽カテゴリーが選択された後、エンドユーザーは、「ジャンル」、「アーティスト名」、または「タイトル」のような情報を入力し、最終的に曲を選択する。最終選択が行われた時は、選択された音楽ビデオクリップ２４はデータベースからディジタル表示装置１から転送され、ディジタル表示装置１上に表示される。
【００３３】
具体的には、最終選択が行われた後、配信サーバー５１は音楽データサーバー５５内で要求された音楽ビデオクリップの場所を見つける。配信サーバー５１は次にインターネットサーバー８１によって確立されたインターネット接続８０を介して、音楽ビデオクリップを、ディジタル表示装置１のコントローラーボックス１２に送信する。コントローラーボックス１２は、エンドユーザーによって見ることができるようにＰＤＰ１１内の第３の領域２０３に音楽ビデオクリップ２４を表示する。また、音楽ビデオクリップ２４のオーディオデータはユーザーが聴くことができるようにアンプとスピーカシステムを通して再生される。
【００３４】
第三者課金電話番号を介して曲（音楽ビデオクリップ）を要求するための料金を含むシステムＳｊの使用のための料金は、通信センター６内の請求書作成サーバー６２によって計算される。請求書作成サーバー６２は、接続７４を介して中央データベース５内に位置する課金サーバー５３と通信し、課金サーバー５３はエンドユーザーによるシステムＳｊの使用に関連する課金情報を格納し、これはアクセス及び確認可能である。また、請求書作成サーバー６２は定期的に（例えば、各月に）請求書を作成し、請求書はエンドユーザーの携帯電話４１の電話通話料金と曲の要求のための料金を含む。次に、電話会社は請求書をユーザーに送る。
【００３５】
中央データベース５はまた様々な製品のための広告を含む広告サーバー５４を含み、この広告はコマーシャルモードまたはミックスモードのディジタル表示装置１内の第３の領域２１３に広告を表示するための配信サーバー５１によって送信される。ジュークボックスモードとコマーシャルモードの組み合わせた使用があった時は、配信サーバー５１は音楽ビデオクリップ２４を再生することなく、コマーシャル広告２５をディジタル表示装置１に連続して送信する。また、一つの実施においては、広告はランダムに取り上げられる。エンドユーザーが曲を要求した時は、配信サーバー５１はコマーシャルモードからジュークボックスモードに変える。言い換えれば、コマーシャルモードは、システムＳｊの動作のアイドルモードである。例えば、エンドユーザーが最初にディジタル表示装置１に近づいた時、システムＳｊは既にコマーシャルモードになっている（例えば、ディジタル表示装置１に広告２５を表示している）。次に、エンドユーザーが曲を選択した時、広告の代わりに曲が表示装置１に表示される。
【００３６】
図２に開示するように、ディジタル表示装置１は好ましくは、パイオニアＰＤＰ−５０３のようなプラズマディスプレイパネル（ＰＤＰ）システムであり、それは、バー、コーヒー店、レストラン等の商業施設内に設置されている。このタイプの応用のための典型的なＰＤＰは、プラズマディスプレイパネル、小さな固定可能なコンピューター、そしてインターネットを介してデータを受け取るためのＤＳＬまたはＩＳＤＮ接続を含むであろう。コンピューターは１２８０×７６８の解像度をサポートするビデオカード、１６ビットオーディオ出力を有するイーサーネット入力、ＤＴＭＰ認識システム及びソフトウェア、ビデオカード、ネットワークケーブル、６４MBまたは１２８MBのＲＡＭメモリー及び２０ＧＢのハードドライブを含むであろう。表示装置のオペレーティングシステムはウィンドウズ（登録商標）２０００のような「ウィンドウズ」タイプのオペレーティングシステムでもよい。他のソフトウェアは、クイックタイム４．０、ケーシェル１．０、電話通信ソフトウェア、及び遠隔管理ソフトウェアを含むであろう。加えて、コンピュータにインストールされているソフトウェアは、また、ＧＵＩ、これはネットスケイプ４．０のようなブラウザタイプのソフトウェアであろうが、これを含んでもよい。表示装置１のこれらの仕様は、単に一例であり、本発明を限定しない。
【００３７】
図３に従って、ＧＵＩ２はシステムＳｊの動作のジュークボックスモード、を初期化するためのエンドユーザーによってかけられるべき電話番号を提供するが、これは音楽ビデオクリップ選択を表示し聴くためである。以前に述べたように、第１、第２、及び第３の表示領域２０１、２０２及び２０３はディジタル表示装置１に付属するコントロールボックス１２にインストールされたブラウザソフトウェアの一部を用いて表示される。
【００３８】
図６は本発明の一実施例に従って音楽選択を行う工程の実例である。
【００３９】
動作ｓ１において、エンドユーザーは、彼または彼女の携帯電話４１またはＰＨＳ４３を用いて、ＰＤＰ１１の第１の領域２０１に表示される第三者課金電話番号２１に電話をかける。このとき、ジュークボックスモードにおいて、配信サーバー５１はナビゲーションメニュー２３とサンプル音楽ビデオクリップ２４を図３に示すようなディジタル表示装置１に提供する。ジュークボックスモードとコマーシャルモードの組み合わせの仕様の場合には、配信サーバー５１はナビゲーションメニュー２３と広告を図４に示すようなディジタル表示装置１に提供する。配信サーバーはディジタル表示装置１毎のナビゲーションメニュー情報を格納する（例えば、バーコード番号毎に）、そしてナビゲーションメニュー２３はナビゲーションメニュー情報に基づいてディジタル表示装置１に提供される。また、配信サーバー５１は音楽データサーバー５５からランダムに取り上げられるサンプル音楽ビデオクリップ１１を提供する。
【００４０】
動作５２においては、配信サーバー５１は「モニターに表示されるバーコード番号を貴方のキーパッドを用いて入力してください」のような音声メッセージをＤＴＭＦサーバーと電話局６１を介してエンドユーザーに送る。エンドユーザーがバーコード番号２２を入力した後は、配信サーバー５１はナビゲーションメニュー２３と音楽ビデオクリップ２４が配信されるべき位置を認識する（例えば、表示装置１が設置されている施設を認識する）。動作ｓ３においては、配信サーバー５１は、エンドユーザーに対し、ナビゲーションメニュー２３を通じて彼または彼女の携帯電話４１のモードの選択を知らせる指示を提供する。加えて、配信サーバー５１は、ユーザーに対して、携帯電話４１を用いてデータを入力し、ＰＤＰ１１を見ることを指示する音声メッセージをも提供する。次に、エンドユーザーは、電話モード、インターネットモード、または操作の通常モードを選択する。インターネットモードはもし携帯電話４１がインターネット接続機能を有しウェブサイトを表示できる場合に可能となるモードである。通常モードはもし携帯電話４１が電話機能のみを有する場合（例えば、通常の電話）に可能となるモードである。もしエンドユーザーがインターネットモードを選択した場合には、配信サーバー５１はナビゲーションメニューを、ディジタル表示装置１だけでなく、携帯電話４１にも提供する。携帯電話４１のためのナビゲーションメニューは、携帯電話の表示サイズに適合するようにカスタマイズされる。もしエンドユーザーが通常モードを選択した場合には、配信サーバー５１はナビゲーションメニューをディジタル表示装置１のみに提供する。
【００４１】
次に、動作５４においては、配信サーバー５１はディジタル表示装置１に表示される音楽のスタイルを選択するためのナビゲーションメニュー２３を提供し、また、「ジャンルを選択してください」のような音声メッセージを携帯電話４１も提供する。従って、エンドユーザーは彼または彼女が表示及び聴くことを希望する音楽のスタイルを選択するように指示される。携帯電話４１のキーパッド４２を用いて、エンドユーザーはナビゲーションメニュー２３によって提供される番号の付けられた音楽選択から音楽スタイルの選択を行う。例えば、もしエンドユーザーが「５．ジャズ」をキーパッド４２上の数字５のボタンを押すことによって選択した場合には、配信サーバー５１は「５．ジャズ」をハイライト表示する。次に、配信サーバー５１は一時的に音楽スタイル選択を記憶する。
【００４２】
動作ｓ５においては、配信サーバー５１は、エンドユーザーによってなされた音楽スタイルの選択に基づいて、ナビゲーションメニュー２３を、音楽スタイルを選択するためのナビゲーションメニューから、歌手（アーティスト）を選択するためのナビゲーションメニュー２３に変更する。次に、配信サーバー５１は歌手の選択のためのナビゲーションメニューを提供する。もしエンドユーザーが携帯電話４１をインターネットモードで使用している場合には、配信サーバー５１はまた歌手を選択するためのナビゲーションメニューを携帯電話４１に提供する。次に、動作ｓ６においては、エンドユーザーは、アーティストまたは歌手を選択するように指示される。一つの例では、エンドユーザーは、エンドユーザーが要求したい歌手名またはアーティスト名に対応する最初の文字を選択するために、携帯電話４１のキーパッド４２を用いる。動作ｓ７においては、配信サーバー５１はエンドユーザーの音楽スタイルの選択に一致する全てのアーティスト名のために音楽データサーバー５５を検索し、歌手またはアーティストの最初の文字を認識する。例えば、もしエンドユーザーがジャンル「ロック」を選択し次に最初の文字「Ｍ」を選択した場合には、配信サーバー５１は文字「Ｍ」で始まり、「ロック」のジャンルに分類される全てのアーティストを検索するであろう。
【００４３】
動作ｓ８においては、配信サーバー５１は見出された検索結果が４人の歌手よりも少ないか、あるいは４人以上の歌手かを判断する。もし見出された検索結果が４人以上の歌手だった場合には、結果は表示され（動作ｓ９）、エンドユーザーは、検索基準を狭め、検索結果を限定するためにアーティストまたは歌手の名前の第２の文字を入力するように指示される（動作ｓ１０）。次に、動作ｓ７、ｓ８、ｓ９、及びｓ１０は希望の検索結果が４人より少ない歌手に狭められるまで繰り返される。次に、動作ｓ１１においては、配信サーバー５１はディジタル表示装置１に表示すべき曲のタイトルを選択するためのナビゲーションメニューを提供する。また、もし携帯電話ー４１がインターネット機能を有している場合には、配信サーバー５１は携帯電話４１のためのナビゲーションメニュー３２とタイトルの選択を指示するための音声メッセージを提供する。例えば、エンドユーザーは携帯電話４１のキーパッド４２を用いてタイトルの最初の文字を入力するように指示されてもよい。
【００４４】
動作ｓ１２においては、配信サーバー５１は、再度、動作ｓ７の歌手検索で得られた歌手の名前及び動作ｓ１１でエンドユーザーによって入力された曲の最初の文字に基づいた検索基準に一致する曲を、音楽データサーバー５５から検索する。動作ｓ１３においては、配信サーバー５６１は曲の検索結果に一致する数が４より少ないか、４以上かを判断する。見出された一致項目が４以上であれば、結果が表示される（動作ｓ１４）、エンドユーザーは検索基準を狭め検索結果を限定するために曲の第２の文字を入力するように指示される。再度、動作ｓ１２、ｓ１３、ｓ１４及びｓ１５は、希望する検索結果が４曲より少なく狭められるまで繰り返される。一度希望の結果が達成されると、エンドユーザーは音楽選択を確認し、曲の選択結果から曲の他の一つを再度選択するために動作ｓ１３に戻るか、あるいは検索を最初から始めるために動作ｓ６に戻る（動作ｓ１６）。もし音楽選択が動作１６において確認された場合には、システムＳｊの使用のためにエンドユーザーを変更するルーチンが行われる（動作ｓ１７）。具体的には、エンドユーザーは、システムＳｊを使用し曲をダウンロードしたことに関係する料金を請求されることを確認するように指示される。もし料金が確認されたら、音楽ビデオクリップ４２（オーディオビジュアルデータ）は音楽データサーバー５５からエンドユーザーが見るためのディジタル表示装置１に送信され、請求書情報は通信センター６の請求書作成サーバー６２に送られる（動作ｓ１８）。また、請求書作成サーバー６２は、請求書情報を、料金を計算する目的で中央データベース５の課金サーバー５３に送る。加えて、エンドユーザーまたは携帯電話４１の所有者は、請求書情報に基づいて、システムＳｊの使用について、直接に課金されるであろう。次に、携帯電話接続７２は配信サーバー５１によって自動的に切断される。一方、もしエンドユーザーが動作ｓ１７の承認しない、または動作ｓ１７の予め定められた期間に承認に失敗した場合には、配信サーバー５１は曲が選択されなかったと判断し、携帯電話接続７２を切断する（動作ｓ１９）。
【００４５】
図７はシステムセッティングを調整するための模範的な、限定されない工程を示す。システムセッティングを調整する図示の例はナビゲーションメニュー２３においてエンドユーザーによって選択可能な音楽ビデオクリップのジャンル、及び曲の料金を調整するものであり、このような調整は以下に説明されるであろう。
【００４６】
動作ｓ１００においては、商業施設、ここはディジタル表示装置１が設けられるところであるが、の所有者は、中央データベース５の配信サーバー５１と課金システムサーバー５３との接続を生成する電話番号に電話をかけることにより、中央データベース５との接続を初期化する。所有者によってかけられた番号は、ディジタル表示装置１に表示されている番号２１とは異なっていることが好ましい。この接続は、ＰＨＳホームターミナル４７、ＰＨＳ電話接続７１、通信センター６内の電話局サーバー６１、そして中央データベース５のＤＴＭＦサーバー５２を介して、所有者の電話と中央データベース５間で形成される。
一旦、配信サーバーが所有者からの電話を確認すると、動作ｓ１０１において、所有者がセッティングを調整する権限を有しているかどうかを確認するために確認ルーチンが行われる。例えば、所有者がＰＨＳを介して正しいユーザーを入力ことが必要であるようにしてもよい。次に、所有者はバーコード番号１５を入力するように指示される（例えば、ディジタル表示装置１に表示されるバーコード番号）。この状況では、配信サーバー５１は入力を指示するための所有者の電話４６に音声メッセージを提供する。所有者によって入力されたバーコード及びＰＩＮコードは格納されているＰＩＮコードに一致される（動作ｓ１０３）。もし、入力されたＰＩＮコードが等しい場合には、所有者は「ジュークボックスモードをセットしてください」か、オプション「所有者の収入をチェックする」を選択するように指示される（動作ｓ１０４）。もし動作ｓ１０５で前者が選択された場合には、所有者は彼または彼女が「音楽タイプ」セッティングまたは「支払いモード」セッティングを調整したいかどうかを選択するように指示される。もし音楽タイプセッティングが選択された場合には、次に所有者は変更する曲または音楽タイプを選択することができる（動作ｓ１０６）。例えば、もし所有者がエンドユーザーによって音楽の全てのタイプが要求されることを可能にしたい場合には、所有者は「全ての音楽」オプションを選択する。結果として、エンドユーザーは、選択的に、中央データベース５の音楽データサーバー５５に格納された全ての曲から、選択的に曲を要求できる。一方、もし所有者が要求できる楽曲を制限したい場合には、所有者は特定の音楽タイプを選択する。例えば、もしユーザーが音楽タイプ「４」によって認識される曲（例えばカントリーミュージックの曲）からユーザーに選択させることを望んだ場合には、ユーザーは「４」を入力してもよい。その後、動作ｓ１０７においては、ユーザーは要求される曲の追加のタイプを許可するオプション（「１」を入力することにより）、または要求される曲の追加タイプを許可しないオプション（「２」を入力することにより）を与えられる。もしユーザーが「１」を入力した場合には、工程は動作ｓ１０６に戻り、ユーザーは要求される曲の他のタイプを選択的に許可することができる（以前に許可した曲のタイプに加えて）。一方、もし所有者がユーザーによって要求される全ての曲を許可した場合には（例えば、もし所有者が動作ｓ１０６で「０」を入力した場合）、所有者は動作ｓ１０７において「終了」オプションを選択するために「２」を入力する。音楽タイプの変更が行われた後、所有者は動作ｓ１０８においてこのような変更を確認する。もし所有者が追加の調整を必要とする場合には、ユーザーは「終了及び他の操作」オプションを選択するために、「１」を入力することにより、音楽タイプの変更を確認する。この場合には、工程はシステムセッティングに追加の調整を加えるために動作ｓ１０４に戻る。もし所有者が追加の調整を必要としない場合には、ユーザーは「エンド」オプションを選択するために「２」を入力し、電話は終了される（動作ｓ１０４）。次に、配信サーバー５１に格納されていたナビゲーションメニュー情報は、ユーザーによって入力された音楽タイプの変更に基づいて書き換えられる。従って、音楽タイプの変更を取り入れたナビゲーションメニュー２３は、次回にアクセスされた時に表示されるであろう。
【００４７】
動作ｓ１０５においては、もし所有者が「無料／有料モード設定」オプションを選択した場合には、所有者はシステムが「無料モード」オプションで動作するか「有料モード」オプションで動作するかを選択することができる。「無料モード」においては、エンドユーザーはシステムを使用及び曲の要求についての料金を課金されない。このような場合、所有者は、エンドユーザーがシステムを無制限に使用できるようにするための均一料金を支払うようにしてもよいし、もしくは、使用料、及び／または、エンドユーザーがシステムを使用した時間に依存した、及び／またはエンドユーザーによって実際に要求された曲数に依存した要求料金を支払うようにしてもよい。「無料モード」オプションが選択された時は、対応するデータは課金サーバー５３に送られる。課金サーバー５３は、次に、請求書作成サーバー６２に、エンドユーザーに対して、システムを使用した料金または曲を要求した料金を課金しないように知らせる。「有料モード」の場合には、エンドユーザーは、システムの使用料、及び／または曲を要求した料金を、上述したような態様で課金される。
【００４８】
もし所有者が「所有者の収入をチェック」オプションを動作ｓ１０４で選択した場合には、所有者はジュークボックスシステムＳｊによって収益をあげた現在の残高をチェックできる、あるいは、エンドユーザーによる曲の各要求ごとに実際の請求金額を変更できる（動作ｓ１１０）。もし所有者が「所有者の残高チェック」オプションを動作ｓ１１０で選択した場合には、システムＳによって得られた現在までの収入の残高が確認することができる（動作ｓ１１１）。動作ｓ１１１においては、課金サーバー５３は予め定めた期間（所有者によって入力された期間）おける総収入を計算する。総収入は、サーバー５３に格納された課金情報に基づいて計算される。次に、所有者は、ＤＴＭＦサーバー５２及び電話４５を介して音声メッセージにより総収入を知らされる。もし所有者が「料金額」オプションを動作ｓ１１０で選択した場合には、所有者はシステムによって指示された時に新しい料金額を入力することにより、エンドユーザーに対する課金額を変更できる（動作ｓ１１２）。その後、動作ｓ１１３においては、所有者は料金額に対する変更を確認するように指示され（「１」を入力することにより）、または、動作ｓ１１２に戻ることにより、追加の変更を加える（「２」を入力することにより）。ユーザーが、動作ｓ１１３で、変更を確認するために「１」を入力した時は、工程は、動作ｓ１０８に進む。料金額が変更された後、新しい料金額が課金サーバー５３に格納される。そして、課金システムサーバー５３は請求書作成サーバー６２に接続７４を介して新しい料金を知らせる。従って、請求書作成サーバー６２はエンドユーザーに対し、システムの使用及び／または曲の要求について、この新しい料金額に基づく課金を行うことができる。
【００４９】
図８は本発明の他の実施例を示す。図８によれば、エンドユーザーの要求があった時に音楽ビデオクリップをディジタル表示装置１に送信するための通信接続は標準のケーブルテレビ接続またはＣＡＴＶチャンネル７０３である。ケーブルＴＶ接続７０３はケーブルプロバイダーによって提供されるタイプのＣＡＴＶボックス１３とケーブルＴＶデータベース５００の間の接続を確立する。ケーブルＴＶデータベース５００の構成は、図２に示す中央データベース５の構成と同様である。言い換えれば、ケーブルＴＶデータベース５００は、ＣＡＴＶチャンネル７０３を介してＣＡＴＶ１３に音楽ビデオクリップを配信するための配信サーバー５００を備え、音楽データサーバー５０５において要求された音楽データを検索する。配信サーバー５０１は、次に、ディジタル表示装置１に表示すべき要求された音楽ビデオクリップ（オーディオビジュアルデータ）を送信する。ＣＡＴＶデーターベース５は、また、通信センター６の電話局６１からの呼出を受けるＤＴＭＦサーバー５０２と課金サーバー５０３と、インターネット広告サーバー５０４を備える。以前に述べたように、音楽ビデオクリップはディジタル表示装置１に近接して設けられたＣＡＴＶボックス１３によって受信される。ディジタル表示装置１は、バー、レストラン、コーヒー店等のような商業施設に置かれた、テレビ、パーソナルコンピュータ（ＰＣ）、またはＰＤＰシステムを用いることができる。図８に示す実施例の中央データベース５は電話回線のような接続７０１を介して、直接ケーブルＴＶデータベース５００と接続される。中央データベース５の配信サーバー５１は、更新されたオーディオビジュアルデータをＣＡＴＶデータベース５００に置かれた音楽データサーバー５５に送信する。例えば、もし中央データベース５が全ての新しく発表された音楽ビデオクリップ（オーディオビジュアルデータ）をその音楽データサーバー５５内に格納する場合には、新しく発表された音楽ビテオクリップは、配信サーバー５１と接続７０１を通じて、ＣＡＴＶデータベース５００内の音楽データサーバー５０４に送信される。もしＣＡＴＶ会社が、エンドユーザーに見ることを申し出ることができる新しく発表された音楽を含むために、彼らの音楽データサーバー５０４を更新したい場合には、新しく発表された音楽ビデオクリップは、中央データベース５の配信サーバー５１を介して、ＣＡＴＶデータベース５００の音楽データサーバー５０４に送信される。図７では、中央データベース５の課金サーバー５３は、ジュークボックスシステムを使用するエンドユーザーのための課金情報を取得して格納するために、接続７０２を通じて、ＣＡＴＶデータベース５００の課金サーバー５０３と通信を行う。加えて、課金サーバー５０３は、接続７０５を介して、通信センター６の請求書作成サーバー６２と通信を行う。請求書情報は課金システムサーバー５３及び５０３に転送される。
【００５０】
携帯電話４１を用いて曲を選択する手続きは、先に述べた実施例と同様である。配信サーバー５０４は次に、ケーブルチャンネル７０３を介して要求された音楽ビデオクリップを送信する。音楽ビデオクリップはディジタル表示装置１のＣＡＴＶボックス１２によって受信される。
【００５１】
好ましい実施例の先の記述は、この技術に熟練した者が本発明を作り及び使用することを可能にする。さらに、これらの実施例に対する様々な修正は、この技術に熟練した者にとって容易に明かとなろう。そして、包括的な原理とここに定義された具体的な例は、発明的な能力を用いることなく他の実施例に適用してもよい。従って、本発明は、ここに開示した実施例に限定されるものではなく、クレームの限定とその均等物によって定義される最も広い範囲に与えられる。
【図面の簡単な説明】
【００５２】
【図１】図１は、本発明のディジタル情報配信システムの実例となる、限定されない実施例の概念図である。
【図２】図２は、本発明のディジタルオーディオビジュアル再生システムの実施例の概略図である。
【図３】図３は、実施例のグラフィックユーザーインターフェース（ＧＵＩ）と操作のジュークボックスモードの概念図である。
【図４】図４は、実施例のグラフィックユーザーインターフェース（ＧＵＩ）と操作のコマーシャルモードの概念図である。
【図５】図５は、実施例のグラフィックユーザーインターフェース（ＧＵＩ）と操作のジュークボックスモードとコマーシャルモードの概念図である。
【図６】図６は、実施例の通信装置を用いて音楽選択を行う工程を示すフローチャートである。
【図７】図７は、実施例のシステムセッティングの調整工程を示すフローチャートである。
【図８】図８は、本発明のディジタルオーディオビジュアル再生システムの他の実例となる、限定されない実施例の概略図である。
【図１】
2004530390.tif 000003
【図２】
2004530390.tif 000004
【図３】
2004530390.tif 000005
【図４】
2004530390.tif 000006
【図５】
2004530390.tif 000007
【図６】
2004530390.tif 000008
【図７】
2004530390.tif 000009
【図８】
2004530390.tif 000010
【国際公開パンフレット】
2004530390.tif 000011
2004530390.tif 000012
2004530390.tif 000013
2004530390.tif 000014
2004530390.tif 000015
2004530390.tif 000016
2004530390.tif 000017
2004530390.tif 000018
2004530390.tif 000019
2004530390.tif 000020
2004530390.tif 000021
2004530390.tif 000022
2004530390.tif 000023
2004530390.tif 000024
2004530390.tif 000025
2004530390.tif 000026
2004530390.tif 000027
2004530390.tif 000028
2004530390.tif 000029
2004530390.tif 000030
2004530390.tif 000031
2004530390.tif 000032
2004530390.tif 000033
2004530390.tif 000034
2004530390.tif 000035
2004530390.tif 000036
2004530390.tif 000037
2004530390.tif 000038
2004530390.tif 000039
2004530390.tif 000040
2004530390.tif 000041
2004530390.tif 000042
2004530390.tif 000043
2004530390.tif 000044
2004530390.tif 000045
2004530390.tif 000046
2004530390.tif 000047
2004530390.tif 000048
2004530390.tif 000049
2004530390.tif 000050
2004530390.tif 000051
2004530390.tif 000052
2004530390.tif 000053
2004530390.tif 000054
2004530390.tif 000055
2004530390.tif 000056
2004530390.tif 000057
2004530390.tif 000058
2004530390.tif 000059
2004530390.tif 000060
2004530390.tif 000061
2004530390.tif 000062
2004530390.tif 000063
2004530390.tif 000064
2004530390.tif 000065
2004530390.tif 000066
【国際公開パンフレット（コレクトバージョン）】
2004530390.tif 000067
2004530390.tif 000068
【国際調査報告】
2004530390.tif 000069
2004530390.tif 000070
2004530390.tif 000071